(57)【要約】本発明は、利用者が所望するスター(アニメキャラクター、有名人、人気者、タレント、名士、偉人など)の最新イメージと情報をリアルタイムで提供(UPDATE)し、スターのイメージ(写真)を利用者自身の好みに合わせて非合成または合成させてステッカーとして出力できるようにしたスターステッカー自動販売機およびその最新情報提供方法を提供する。したがって、スターステッカー自動販売機にスターの最新イメージと情報がリアルタイム・アップデート(update)される。そのため、利用者は前記スターステッカー自動販売機を通じて自分の好きな有名人の最新イメージまたはその有名人の最新イメージ(写真ファイル)と自分のイメージ(写真)及び所望のイメージを合成した後、ステッカーとして出力したり、ファイルの形態で貯蔵媒体に格納(download)し保管することができる。その結果、利用者の多様な欲求に応えられることはもとより、有名人と一般人とを、より親近感を持たせて結びつけることもできる。【選択図】図２
2004537098.tif 000002
【特許請求の範囲】
【請求項１】
インターネット通信手段と、イメージ入力手段と、イメージ加工手段と、スターのイメージがリアルタイムアップデートされるスターステッカーサイトと連結されるネットワークと、を有するステッカー自動販売機により、
ａ）利用者が、前記リアルタイムアップデートされるスターのイメージを前記スターステッカーサイトから選択できるようにする段階と；
ｂ）選択されたスターイメージと利用者のイメージとを、変形することなく揃い合うようにして合成する段階と；
ｃ）合成されたイメージをステッカーとして出力する段階と、からなるスターステッカー自動販売方法。
【請求項２】
ｄ）スターステッカーを無料で出力する場合、スターステッカーの一端に広告を掲載し出力する段階をさらに含むことを特徴とする請求項１に記載のスターステッカー自動販売方法。
【請求項３】
インターネット通信手段、イメージ入力手段、イメージ加工手段、およびプロセッサを有するクライアント/サーバー環境システムを通じてスターステッカーサイトに接続し最新のイメージ情報を提供する方法であって、
ａ）利用者がクライアントシステムを通じてスターステッカーサイトに接続しログインした後、スターステッカーサイトから、リアルタイムアップデートされるスターのイメージを選択可能にする段階と；
ｂ）選択したスターイメージと利用者のイメージとを、変形することなく揃い合うようにして合成する段階と；
ｃ）合成されたイメージをスターステッカーとして出力する段階と、からなるスターステッカー自動販売方法。
【請求項４】
ｄ）スターステッカーを無料で出力する場合、スターステッカーの一端に広告を掲載し出力する段階をさらに含むことを特徴とする請求項３に記載のスターステッカー自動販売方法。
【請求項５】
インターネット通信手段及びプロセッサーを備えたクライアント/サーバーシステムを通じて最新情報を提供するためのスターステッカー自動販売装置であって、
最新のスターのイメージ及び情報がリアルタイムアップデートされるスターステッカーサイトと、
デジタルカメラとステッカー出力装置を有し、複数の場所に分散設置されるスターステッカー自動販売機とを備え、
前記スターステッカーサイトと前記複数のスターステッカー自動販売機とがオンラインで連結され、スターステッカー自動販売機からスターステッカー写真、または、スターのイメージと利用者のイメージとを合成したイメージをステッカーとして出力できるようにしたことを特徴とする最新情報提供のためのスターステッカー自動販売装置。
【請求項６】
前記スターステッカーサイトは、
複数の利用者がスターステッカー自動販売機またはクライアントシステムからインターネット網を通じて接続するスターステッカーサーバーと；
スターステッカーサーバーに接続されるデータベースサーバーと；
スターステッカーサーバーに接続され、スターステッカー合成/出力によって発生する費用を決済するために銀行/信用カ−ド会社と連結される決済サーバーと；
スターステッカーサーバーに接続され、分散設置される複数のスターステッカー自動販売機を総管理する自動販売機管理サーバーと；
スターステッカーサーバーに接続されて利用者の過剰接続によるトラフィックを分散させる負荷分散サーバーと；
スターステッカーサーバーに接続されてデータ損失やハッキングから前記スターステッカサイトを保護するためのバックアップサーバーと；
スターステッカーサーバーに接続されて利用者と管理者及び利用者と利用者間の電子メール交換を可能にするメールサーバーと、からなることを特徴とする請求項５に記載の最新情報提供のためのスターステッカー自動販売装置。
【請求項７】
前記データベースサーバーは、
会員管理資料が貯蔵される会員データベースと；
スターステッカー自動販売機に紹介されるスターの最新イメージと情報(資料)が貯蔵されるイメージデータベースと；
スターステッカーと関連したデータ及び各種コンテンツ資料とエンターテイメントデータが貯蔵されるコンテンツデータベースと；
決済結果と決済関連データが貯蔵される決済データベースと；
各会員に電子メールをサービスするメールデータベースと、を含めてなることを特徴とする請求項６に記載の最新情報提供のためのスターステッカー自動販売装置。
【請求項８】
前記スターステッカー自動販売機は、
総括的な制御を担当する中央処理処置(ＣＰＵ)と；
前記中央処理処置に接続されて各種プログラムとデータが貯蔵されるメモリと；
前記中央処理処置に接続されて画面表示手段と入・出力手段を兼ねるタッチスクリーンと；
前記中央処理処置に接続されて合成/編集または非合成/編集されたステッカーを出力するカラープリンタと；
前記中央処理処置に接続されて利用者のイメージをその場で獲得するデジタルカメラと；
前記中央処理処置に接続されてスターステッカーサーバーとのオンライン状態を維持しながらリアルタイムでデータ交換を行う通信装置と；
前記中央処理処置に接続されてスターステッカーを有料で出力する場合、コインや紙幣で直接決済可能にするコイン機構と、から構成されたことを特徴とする請求項５に記載の最新情報提供のためのスターステッカー自動販売装置。
【発明の詳細な説明】
【技術分野】
【０００１】
本発明は、利用者が希望するスター(アニメキャラクター、有名人、人気者、タレント、名士、偉人など)の最新イメージと情報をリアルタイムで提供してスターのイメージ(写真)を自分の好みに合わせて非合成または合成してステッカーとして出力できるスターステッカー自動販売機およびその最新情報提供方法に関し、さらに詳細には、インターネットを介してステッカー自動販売機にスターの最新イメージがリアルタイム・アップデート(update)されるようにすることによって、利用者が前記ステッカー自動販売機から自分の好きなスターの最新イメージ、またはそのスターの最新イメージ(写真ファイル)と自分のイメージ(写真)や所望のイメージを合成した後、ステッカーとして出力したり、ファイルの形態で貯蔵媒体に格納(download)し保管できるようにし、利用者の様々な欲求に応えることはもとより、好きなスターと利用者(ファン)とを、より親近感を持たせて結びつけることに関する。
【背景技術】
【０００２】
インターネット(Internet)産業は、技術の発達に伴って日に日に膨脹しており、一日にも数多くのホストコンピューター(Host Computer)がインターネットに連結されて全世界を一つの「地球村」にするのに決定的な役割を果たしている。
【０００３】
また、その底辺には、広く普及された個人用コンピュータの他に、マルチメディア機能の提供で一般の人々が容易にインターネットにアクセスして利用できるように手助けするワールドワイドウェブ(World Wide Web)が寄与したところも大きい。
【０００４】
かかるワールドワイドウェブの発展は商業的な利用へ急速に広まりつつあり、インターネットを商業的に利用する代表格としては電子商取引(Electronic Commerce)が挙げられる。
【０００５】
最近では、電子商取引だけでなく、銀行・証券会社などの金融分野にも急激に広まっている。例えば、地理資料システムによる地図資料(または、地理資料)、動的または静的な形態の各種電子広告(バナー広告)及びインターネット電話、インターネットＴＶ、インターネットファックスのような種々のサービスがインターネットを介して提供されており、インターネットの大衆化と使用人口の底辺拡大にも大きく寄与している。
【０００６】
一方、従来のステッカー自動販売機（いわゆる「プリクラ」）では、利用者が自分の写真しか出力できなかった。つまり、従来のステッカー自動販売機は、前方のイメージをデジタル信号に変換するデジタルカメラと、前記デジタルカメラで撮ったイメージを映像処理する装置と、映像処理されたデジタル信号をカラープリンタでステッカーの表面に出力する出力装置とから構成されていた。使用者は、ステッカー自動販売機に設置されたデジタルカメラで自分のイメージ(写真)を撮った後、ステッカーとして出力したり、あらかじめ編集されたイメージと合成した後、ステッカーとして出力していたのである。
【特許文献１】
韓国登録実用新案KR2001-213649Y
【特許文献２】
韓国特許公開KR2002-36116A
【発明の開示】
【発明が解決しようとする課題、及び課題を解決するための手段】
【０００７】
要するに、従来のステッカー自動販売機は、内部メモリに貯蔵された編集用データにより若干の編集はできたものの、別途の通信手段を備えていないため最新のデータには更新できないという問題点があった。
【０００８】
その結果、新規の最新資料や、変動の激しい有名人の最新イメージ(写真)と情報が適時にアップデートされず、利用者の期待に応えられなかったため、利用率が落ちるという問題点があった。
【０００９】
本発明は、上記の問題点に鑑みてなされたものであり、スター(アニメキャラクター、有名人、人気者、タレント、名士、偉人など)ステッカーサイトとネットワークが構築されたスターステッカー自動販売機及び/またはクライアントシステムを利用して利用者がスターステッカーサイトにログインする段階と、スターステッカーサイトからリアルタイム・アップデートされるスターのイメージ写真を選択する段階と、選択したスターイメージ写真をステッカーとして出力する段階とからなるスターステッカー自動販売機の最新情報提供方法を提供することにその目的がある。
【００１０】
また、本発明は、選択したスターのイメージ写真をステッカーとして出力するに先立ち、まず、デジタルカメラで利用者自身のイメージ写真を入力する段階と、利用者のイメージ写真と前記スターのイメージ写真とを合成する段階と、をさらに含むスターステッカー自動販売機の最新情報提供方法を提供する。
【００１１】
また、本発明は、スターステッカーを有料で出力することもでき、スターステッカーを無料出力する場合にはステッカーの一端に広告が掲載されて出力される段階をさらに含むスターステッカー自動販売機の最新情報提供方法を提供する。
【００１２】
上記の目的を達成するために、本発明、スター(有名人、アニメキャラクターなど)の最新イメージ(写真)及び情報がインターネットでリアルタイムアップデートされるスターステッカー自動販売機を利用して利用者が所望するスターの最新イメージ(アニメキャラクターなど)を合成または非合成してステッカーとして出力できる方法を提供する。
【００１３】
また、スターステッカーサイトとネットワークが構築されたスターステッカー自動販売機及び/またはクライアントシステムを利用して利用者がスターステッカーサイトに接続しログインする段階と、スターステッカーサイトからリアルタイムアップデートされるスターのイメージ写真を選択する段階と、選択したスターイメージ写真をステッカーとして出力する段階とからなるスターステッカー自動販売機の最新情報提供方法を提供する。
【００１４】
また、選択したスターのイメージ写真をステッカーとして出力する前に、デジタルカメラ(ＰＣカメラ)で利用者自身のイメージ写真を入力する段階と、前記スターのイメージ写真と利用者のイメージ写真を合成する段階とをさらに含むスターステッカー自動販売機の最新情報提供方法を提供する。
【００１５】
また、スターステッカーを有料で出力することもでき、スターステッカーを無料で出力する場合にはステッカーの一端に広告が挿入されて出力される段階をさらに含むスターステッカー自動販売機の最新情報提供方法を提供する。
【００１６】
したがって、本発明によれば、スターと利用者とを結びつける役割を果たし、なおかつ、利用者と、利用者の好きなスターとの関係を、より親近感の高いものとし得る。
【００１７】
また、前記スターステッカーを提供する方法に基づいてスターステッカー自動販売装置を提供する。
【００１８】
そして、企業や個人広告主にとっては、利用者が出力するスターステッカー写真に自分の広告を入れて編集/出力することができるので、一般の利用者に自社イメージなどをより容易に知らせる広告効果を得ることが可能となる。
【００１９】
また、企業や個人の広告が挿入される代価として与えられるスターステッカー無料発行枚数が尽きると、その時点からは所定の金額を支払ってスターステッカーを受けるようにすることによって、スターステッカー自動販売機を据え付けた管理者にも利益を与えることが可能となる。
【発明を実施するための最良の形態】
【００２０】
図１は、本発明に係るスターステッカー自動販売機の概略構成図である。
【００２１】
図１に示すように、スターステッカー利用者と、アップデートされる最新のスター(アニメキャラクター、有名人、人気者、タレント、名士、偉人など)のイメージ写真をステッカーとして容易に出力できるスターステッカー自動販売機と、インターネット(インターネット網)を介して前記スターステッカー自動販売機にスターの最新写真とその関連資料、例えば、スターの最新動静、近況及びその活動資料をオンラインでリアルタイムアップデートするスターステッカーサイト及びサイト管理者と、インターネットサービス提供者(ＩＳＰ)などで構成される。
【００２２】
ここで、前記インターネットは、インターネット網に接続できる各種有・無線通信網または衛星通信網を含む。
【００２３】
前記スターステッカー自動販売機は、室内および室外の複数の公共場所に１台またはそれ以上を分散設置して利用者が近い所に位置するスターステッカー自動販売機を利用できるようにし、全体スターステッカー自動販売機は、インターネットサービス提供者を介して、インターネットや通信ネットワークにてスターステッカーサイトとオンラインのネットワークを構成することよってスターの最新資料がリアルタイムで提供されるようにする。
【００２４】
そして、利用者は、スターステッカーサイトに無料会員として加入した後、クライアントシステムを利用したりスターステッカー自動販売機を利用したりしてスターステッカーサイトに接続し、各種サービスを利用すると良い。
【００２５】
つまり、利用者は、自分や他人(ＰＣゲーム店も含む)のクライアントシステム(コンピュータシステム)を用いてスターステッカーサイトに接続してログインした後、スターステッカーを出力したり、或いは、スター資料をダウンロードしてもよく、場合によっては近隣に位置するスターステッカー自動販売機を利用してスターステッカーを出力してもいい。
【００２６】
具体的には、スターステッカー自動販売機のタッチスクリーンを利用して利用者が自分のＩＤと暗号(Password)を入力しログイン(log-in)過程を行った後、図６のようにスターステッカー自動販売機のタッチスクリーンに出力される複数のスターのうち一人を選択するか、或いは、選択されたスターの複数のイメージの中で希望するイメージを選択した後、カラープリントで出力してスターステッカーを獲得する。
【００２７】
ここで、ログインに必要なアルファベット文字と数字が前記タッチスクリーンの画面上に出力され、それらアルファベット文字と数字をタッチする方式で入力しログインすることができる。
【００２８】
そして、会員に加入した利用者が一日中無料出力できるスターステッカーは２枚ないし５枚に制限するものの、制限(割当)枚数を超過して出力する場合には超過分に対しては枚数別に所定の金額を策定し、その金額が支払われるとスターステッカーが出力されるようにする。
【００２９】
そして、無料会員でない一般の利用者に対しては、発行されたスターステッカーにしたがって該当金額を支払うようにする。
【００３０】
前記金額支払は、スターステッカー自動販売機に設置されるコイン機構（紙幣取り扱い機構を含む、以下に同じ）、または読出しと書込みが可能で、電子決済可能なクレジットカードまたは電子貨幣決済装置であるカードリーダーを利用するか、自分のサイバーマネーなどを利用して支払うことができる。
【００３１】
前記サイバーマネーは、本発明のスターステッカーホームページのバナー広告をクリックして積み立てた(累積した)サイバーマネーまたは他のサイトのホームページから累積したサイバーマネーを使えばいい。また、携帯電話を利用して利用金額を決済してもいい。
【００３２】
一方、図２は、本発明のスターステッカーサイトのシステムブロック図であり、スターステッカーサイトのメーンサーバーであるスターステッカーサーバー２は、保安システムであるファイアウォール４とウェブサーバー６とスターステッカーホームページ８とＤＮＳサーバーとを含み、一人以上の複数の利用者がスターステッカー自動販売機１０またはクライアントシステム１１からインターネット１２網を通じて前記スターステッカーサーバー２に接続できるように構成される。
【００３３】
スターステッカーサーバー２に接続されるデータベース(Ｄ/Ｂ)サーバー１４には、会員管理資料が貯蔵される会員Ｄ/Ｂ１６と、スターステッカー自動販売機１０に紹介されるスターの最新イメージと情報(資料)が貯蔵されるイメージＤ/Ｂ１８と、スターステッカーと関連したデータ及び各種コンテンツ資料とエンターテイメントデータなどが貯蔵されるコンテンツＤ/Ｂ２０と、決済結果と決済関連データが貯蔵される決済Ｄ/Ｂ２２と、各会員に電子メールをサービスするメールＤ/Ｂ２４とがそれぞれ構築される。
【００３４】
前記各Ｄ/Ｂ(Database)は、相互連結されるストレージ(storage)を含んで適切に利用されるように構成される。ストレージ(storage)は、データや資料を希望する期間の間に貯蔵し、それを必要に応じて出力できる外部記憶装置の一つである。
【００３５】
また、スターステッカーサーバー２には、スターステッカーの合成/出力によって発生する費用決済のために銀行/信用カ−ド会社２６などに連結される決済サーバー２８と、分散設置される複数のスターステッカー自動販売機１０を総管理する自動販売機管理サーバー３０と、利用者からの過剰接続によるトラフィック(traffic)を分散するための負荷分散サーバー３２と、データ損失やハッキングから前記スターステッカーサイトを保護するバックアップサーバー３４と、利用者と管理者との間、及び利用者と利用者との間の電子メールの交換を可能にするメールサーバー３６と、がそれぞれ接続される。
【００３６】
前記Ｄ/Ｂサーバー１４は、オラクル(Oracle)、インフォミックス(Infomix)、サイベース(Sybase)、ＤＢ２などのようなリレーショナル型データベース管理システム(ＲＤＢＭＳ)や、ゲムストン(Gemston)、オリオン(Orion)などのようなオブジェクト指向データベース管理システム(ＯＯＤＢＭＳ)やリアルタイムデータベース管理システム(ＤＢＭＳ)などを利用して本発明の目的に好適に具現する。
【００３７】
また、スターステッカーサーバー２のプログラム(Active Server Pageなど)は、インターネットウェブサイト上で各種データベースを管理及び制御し、インターネット上で利用者ブラウザーへのデータ転送を可能にする。ＡＳＰプログラムやＰＨＰ、ＪＳＰなどの言語で具現でき、また、サイト運営のためのサーバーウェブプログラムと会員に登録する際に利用する会員登録プログラムなどが搭載される。
【００３８】
また、ファイアウォール４は、インターネットのような外部ネットワークとスターステッカーサイトの内部ネットワークとの間に位置して外部ネットワークから内部ネットワークへの侵入を感知して各種資料とリソースを保護する。ウェブサーバー６は、インターネットプロトコルを通じてスターステッカー自動販売機システム及びブラウザーに、掲示板や資料室に掲載された各種資料に対する目録資料、決済及び決済と関連した詳細資料を転送し、それによるスターステッカー自動販売機システム及びブラウザーからの結果情報はデータベースに貯蔵される。
【００３９】
前記ウェブサーバー６は、ウィンドウズ（Windows(登録商標)）シリーズ(Windows、SQL)、Lynux、ユニックス（Unix(登録商標)）、マッキントッシュ（Macintosh(登録商標）などの運営体制(ＯＳ)にしたがって様々に提供されているウェブサーバープログラムで具現でき、通常的な意味のウェブサーバープログラムの他にも、ウェブサーバー６上で動作する一連の応用プログラムを含む。
【００４０】
会員Ｄ/Ｂ１８は、会員識別コード、会員の連絡先、電子メールアドレス、金融資料、ＩＤ、パスワードなどの身上情報などのフィールドを含み、決済の安全性と種々の便宜性から、会員登録制度を置くことが好ましいが、非会員も利用可能な方式で並行運営しても良い。
【００４１】
また、前記決済サーバー２８は、ビリングマシン(billing machine)が内蔵されて計算機能と記録機能を含む複合機能を行うビリング(billing)作業を行い、また、安全な電子取引処理のために構築されるＳＥＴ(Secure Electronic Transaction)と、保安ソケットレイヤのＳＳＬ(Secure Socket Layer protocol)のようなレイヤレベルの暗号化方式やその他公開キー基盤(ＰＫＩ；Public Key Infra)の暗号化方式などで構成されてインターネットまたはネットワークを用いた決済に際して保安維持とハッキング防止の機能を行う。
【００４２】
一方、該当銀行や信用カ−ド会社２６は、利用者の要請(クライアントシステムを用いた電子決済、クレジットカード決済、またはスターステッカー自動販売機のカード端末機を用いた決済など)にしたがって、利用者のスターステッカー出力による費用を決済する。
【００４３】
つまり、利用者が決済を要請すると、決済サーバー２８は銀行/信用カ−ド会社２６の加盟店端末機に前記決済資料を転送し、決済確認資料を受信することで支払を完了する。
【００４４】
かかる決済方式などに対する技術は現在多く使用されているか、現在推進中の技術に該当するので、その詳細な説明は省略するものとする。
【００４５】
本発明において、コンテンツＤ/Ｂ２０から提供できるコンテンツには、利用者の関心のある分野に関連した資料と、スターの近況及び活動資料、常識資料、生活資料、及び各種エンターテイメントなどが挙げられる。
【００４６】
また、前記コンテンツにおける各種資料は、利用者の多様な要求に応えられるように常に新規の資料に更新し、能動的にサービスを提供する。
【００４７】
図３は、本発明の一実施例によるスターステッカー自動販売機１０の構成図であり、スターステッカー自動販売機１０の全般的な制御を担当する中央処理処置(ＣＰＵ)４４と、各種プログラムとデータが貯蔵されるメモリ４６と、画面表示手段と入・出力手段を兼ねるタッチスクリーン４０と、合成/編集されたステッカーまたは非合成/編集されたステッカーをカラー(または、白黒)出力するカラープリンタ４２と、利用者の写真イメージを現場で獲得するデジタルカメラ(ＰＣカメラ)３８と、スターステッカーサーバー２とのオンライン状態を維持しながらリアルタイムデータを交換する通信装置４８と、スターステッカーを有料で出力する場合、コインや紙幣で直接決済できるようにするコイン機構(coin mechanism)５２と、クレジットカードや電子貨幣で直接決済できるようにするカード端末機５４と、外部補助貯蔵装置及びデバイスの接続を可能にする入/出力装置(入/出力インターフェース)５０と、関連プログラムとから構成される。
【００４８】
前記メモリ４６と、タッチスクリーン４０と、カラープリンタ４２と、デジタルカメラ３８と、通信装置４８と、コイン機構(コインメカニズム)５２と、カード端末機５４と、入/出力装置５０などは、中央処理処置４４にそれぞれ接続されて中央処理処置４４の制御命令を受けるし、スターステッカー自動販売機の上部または一側に設置されるデジタルカメラ３８は、利用者の顔が現場で最適の状態に撮られるような位置と角度に設置される。
【００４９】
前記スターステッカー自動販売機１０の入/出力装置５０は、スターステッカー自動販売機１０の故障による修理/点検やアップデートの際、貯蔵装置(ＣＤ−ＲＯＭドライバ、ハードディスク、外部貯蔵装置)や各種デバイスを接続させてその原因を除去したりアップデートする上で管理者が利用できる装置である。
【００５０】
前記スターステッカー自動販売機１０は、室内や室外を含む公共場所などに据え付けて利用者が容易に利用できるようにし、機能や使用方法及び編集における複雑度をより単純化することによって専門知識のない利用者も容易に接近して無料または低廉な費用で簡便に使用できるようにし、利用者の多様な欲求に応え、さらには有名人と一般人とを、より親近感をもたせて結びつける。
【００５１】
また、所望のスターのイメージを容易に編集して出力できるように規格化・自動化して、非専門家でも容易にアクセスしてスターステッカーを出力できる成就感が味わえるようにする。
【００５２】
また、前記スターステッカー自動販売機１０とクライアントシステム１１には、インターネットへの連結を可能にするウェブブラウザーと、運営プログラム及び通信プログラムと、中央処理処置と、インターネットに有・無線で連結される通信装置(通信手段)、例えばモデム、ＩＳＤＮ、ＬＡＮカード(イーサネット（登録商標）)、ＡＤＳＬ、ＨＤＳＬ、ＶＤＳＬ、通信衛星を利用した衛星網、携帯電話を利用した無線通信網のうち少なくとも一つ以上の有・無線通信網とを備え、また、マルチメディア機能を具現できる応用プログラムなども基本的に備える必要がある。
【００５３】
一方、クライアントシステム１１では、イメージポーズデータ、イメージ背景データ、イメージ効果データ(各種フィルタ、ノイズ、モザイク、レンダリングなど)、イメージフィルタリングデータ、イメージ合成データ、イメージの全体または部分強調データ、イメージの明暗やカラーの度合調節、文字(特殊文字も含む)と数字及び図形データとクリップアートなどが、データベースの形態に構築されたライブラリ(Library)に貯蔵される。これらのデータまたはクリップアートを利用してスターの最新写真を多様な形態に編集してプリンタでステッカーとして出力できる。また、スターの最新イメージを入・出力及び合成/編集するグラフィック編集プログラムは、イメージまたはグラフィックを処理できるような専用/汎用のプログラムを利用する。
【００５４】
前記合成/編集したスターステッカーは、スターステッカーサイトから会員別に割り当てる貯蔵空間に貯蔵するか、スターステッカークライアントシステム１１にダウンロードした後、内部貯蔵装置に貯蔵するか、入・出力装置を通じて外部貯蔵手段に貯蔵するか、ステッカー自動販売機のシステムを利用して自分の電子メールで転送した後、それを自分のクライアントシステムからダウンロード(down-load)を受けることもでき、また、利用者が選択した資料の一部または全部が要らなくなれば、いつでも臨時貯蔵空間から貯蔵された資料を削除することができる。
【００５５】
また、スターステッカークライアントシステム１１を使用する場合は勿論、スターステッカー自動販売機１０を使用する場合、会員自身がスターステッカーサイトの割当空間にあらかじめ載せておいた自分の写真やデジタル情報をスターの写真と合成/出力することができる。
【００５６】
スターステッカー自動販売機１０とスターステッカークライアントシステム１１の出力部に接続されるステッカー出力装置としてはカラープリンタを例示した。しかし、レーザープリンタ、インクジェットプリンタ、Ｘ−Ｙプロッタ、実写出力装置などのイメージ出力装置を接続して利用者が合成/編集したスターのイメージ写真、グラフィックなどをカラー/白黒でステッカーとして出力してもいい。
【００５７】
本発明においてスターステッカー自動販売機１０とスターステッカーサイトとのネットワーク連結チャンネルは、不特定一般人の誰でも容易に利用できるインターネット、イントラネット(intranet)のような開放型ネットワークにするのが好ましい。
【００５８】
一方、スターステッカーサイトへの会員登録は、次のように行う。まず、自分のクライアントシステム１１と通信手段を利用してスターステッカーサイトに接続すると、会員登録プログラムにより会員登録画面が出力される。その会員加入約款を読んで熟知した後、所定の手続にしたがって氏名、住所、住民番号、電話番号、使用するＩＤとパスワードなどの会員登録と関連したデータを入力することで会員登録が完了する。これにより、利用者は、会員としての各種サービスを受けることができる。
【００５９】
このようにスターステッカーサイトの会員に登録したら、通信装置を持つ自分のクライアントシステム１１またはスターステッカー自動販売機１０を通じてスターステッカーサイトのホームページに接続した後、会員認証過程を経て登録された様々なスター写真を選択してステッカーとして出力したり、付帯サービスの各種コンテンツとエンターテイメント掲示板などを利用することができる。
【００６０】
本発明においては、資料室に登録されたコンテンツ資料の中で所望の資料を探すのが困難か面倒である場合、検索機能を利用して作成者、タイトル、本文、資料名、ファイル名、資料提供者名、索引語などで検索し、検索結果リストに基づいて必要または所望の資料を選択して利用すればよい。
【００６１】
そして、ステッカー自動販売機の利用にポイント制度を適用し、例えば、有料のイメージ出力回数に比例してステッカー出力費用を減額してくれるか、無料で一定枚数のステッカーを出力できるようにすることによって、スターステッカー自動販売機１１を利用したステッカー編集/出力サービスが活性化されるようにすると好ましい。
【００６２】
また、インターネット網が連結されていない特殊な場所に位置するスターステッカー自動販売機については、多数のスターのデータ(情報)が貯蔵された貯蔵手段、例えばＣＤ−ＲＯＭドライバやハードディスク、ジップドライバ、メモリモジュールなどをスターステッカー自動販売機１１の入・出力装置(入/出力インターフェース)部分に接続した後アップデートすると、たとえオフラインではあるものの、最新のスターデータに更新できる。
【００６３】
このような場合、持続的なスターステッカー写真のアップデートが必要であることは言うまでもない。
【００６４】
そして、無料ステッカーの提供に当たっては、図７および図８のようにスターステッカーの一定領域に特定会社及び個人の広告を掲載することによってスターステッカーサイト管理者に収益を与える。
【００６５】
スターステッカーを出力するいずれの場合に対しても、図７のようにスターのステッカーだけ出力したり、または、図８のように利用者自身の写真とスターの写真とを合成/編集して出力(発行)することができる。
【００６６】
例えば、合成/出力する写真が自分の写真であり、スターステッカーサイトに既に登録した自分の写真があるとその写真を使用すればよく、登録された写真がないとその場でスターステッカー自動販売機１０に設置されたデジタルカメラ３８を利用して自分の写真を撮った後、既に選択しておいたスターの写真と合成してスターステッカーを発行すれば良い。
【００６７】
スターステッカーの発行にあたり、図９のようにスターステッカーを貼る対象を指定することもできる。例えば、スターステッカーを携帯電話用またはステッカーブック用などに指定・発行してもいい。
【００６８】
特に、ステッカーブックの場合、今後のイベントの際、ステッカーブックを一定枚数以上集めた利用者を対象に様々なサービスを提供することによって、スターステッカー自動販売機１１使用の活性化を図ってもいい。
【００６９】
例えば、前記サービス提供対象者が希望するスターの大型写真や額縁、映画券などを景品として提供すればいい。
【００７０】
また、スターステッカー自動販売機１０でなく一般のクライアントシステム１１からスターステッカーサイトに接続した後、スターステッカー写真を受けることもできる。
【００７１】
つまり、スターステッカーサイトとインターネットを介して連結されたスターステッカー自動販売機１０が据え付けられた場所で、図６のように利用者が好きなスターの写真を選択した後、該当写真のスターステッカーをカラープリンタ４２から出力させて発行してもらうことができる。
【００７２】
また、無料出力されるスターステッカーの場合、図７および図８のようにスターステッカーの一定領域に広告を掲載することができる。
【００７３】
また、図８に示すように、スターの写真と利用者自身の写真を合成してスターステッカーを受けることもできる。この時、自分の写真はスターステッカーサイトにあらかじめ貯蔵しておいた写真を使用してもよく、スターステッカー自動販売機１０に設置されたデジタルカメラ３８を利用してその場で写真を撮って合成してもいい。
【００７４】
図４は、本発明に係るスターステッカー自動販売機１０を利用してスターステッカーを出力する過程を示す流れ図である。
【００７５】
まず、スターステッカーサイトの会員なら(Ｓ１段階)、ＩＤと暗号(ＰＷ)を入力してログイン(LOG-IN)し(Ｓ２段階)、会員として認証されると(Ｓ３段階)、ステッカー出力作業(Ｓ５段階)、その他作業(Ｓ６段階)及びログオフ(Ｓ７段階)のような作業選択(Ｓ４段階)ができ、会員認証に失敗するとログインエラーメッセージが出力されながらＩＤと暗号(ＰＷ)入力モードに戻り、再認証過程を行う。
【００７６】
ここで、前記その他作業(Ｓ６段階)では、スターステッカーサイトのコンテンツＤ/Ｂ２２から提供される各種コンテンツ、例えば、利用者の関心分野と、スターの最新ニュースや動静、近況及び活動資料、常識資料、生活資料、及び各種エンターテイメントを利用することができる。
【００７７】
また、前記コンテンツ及びエンターテイメント資料は、インターネットを通じて利用者の多様な要求に応じて常に新しい資料に更新されるので能動的なサービスができる。
【００７８】
もちろん、その他作業(Ｓ６段階)状態からスターステッカー出力作業(Ｓ５段階)状態に戻ることもできる。
【００７９】
一方、ステッカー出力作業(Ｓ５段階)は、スターの写真だけをステッカーとして出力する場合と、スターと利用者自身の写真を合成してステッカーとして出力する場合があり得る(Ｓ８段階)。
【００８０】
前記ステッカー合成選択段階(Ｓ８段階)で利用者自身の写真と合成することなくスターの写真だけを出力する場合はスター及びキャラクターを選択する段階に移動し(Ｓ１２段階)、スターの写真と利用者自身の写真とを合成する場合には写真入力段階に移動する(Ｓ９段階)。
【００８１】
この時、デジタル化された自分の写真(イメージファイル)がなく、スターステッカー自動販売機１０に設置されたデジタルカメラ３８で自分の写真イメージを獲得すると、これは編集プログラムに自動で入力され(Ｓ９段階)、前記デジタルカメラ３８で入力しない場合にはインターネット１２と連結されるスターステッカー自動販売機１０の通信装置４８を利用してスターステッカーサイトまたはスターステッカーホームページの助力(サービス)で特定サイトのサイバー貯蔵空間に貯蔵された自分の写真(イメージファイル)をダウンロード(download)する(Ｓ１１段階)。
【００８２】
前記ダウンロードの方式によると、スターステッカー自動販売機１０の通信装置４８を利用して利用者自身があらかじめ載せておいたデータ、例えばスターステッカーサイトから会員別に割り当てる貯蔵空間にあらかじめ貯蔵しておいた写真や、スターステッカーホームページの助力(サービス)で特定サイトのサイバーハードディスクまたはサイバー空間に貯蔵された写真をダウンロードして利用できる。そのため、データ貯蔵装置を持ち歩く面倒さとそれによる紛失やイメージの損傷などを防止することができる。
【００８３】
一方、自分の写真が獲得された状態で自分の好きなスターやキャラクターまたはスターのキャラクターを選択すると(Ｓ１２段階)、図６のように所望のスター及びキャラクターの名前と共に複数枚の写真が出力される。それら複数枚の写真が１画面を超過する場合、「次」と「前」のボタンを使って１画面ずつ前後移動することができる。
【００８４】
このとき、所望のスター写真と自分の写真との合成を選択すると、様々なポーズと色で配列されたスター写真の一側(スターの左側または右側や下方または上方)に余白が生じ、この余白には写真合成プログラムにより利用者の写真が挿入される。
【００８５】
この際、写真合成プログラムにしたがってスターの写真と利用者の写真が適切な大きさと色で配列され、それらの中で最適の合成写真を選択した後(Ｓ１３段階)、ステッカーの用途、例えば、携帯電話、アクセサリ、人形、キーホルダ、愛蔵品、ステッカーブックなどの用途に応じてステッカーの形態を選択する(Ｓ１４段階)。
【００８６】
スターとステッカーの形態を選択した後、画面上の出力ボタンを押すと(Ｓ１５段階)、会員別に限定される無料出力回数を基準に、無料出力である場合はカラープリンタ４２からスターステッカーが出力され(Ｓ１８段階)、そうでなく有料である場合、つまり、会員別に制限された無料出力回数を超過する場合またはステッカーに無料出力による企業や個人広告の挿入を希望しない場合、有料を選択して決済が完了する(Ｓ１７段階)。すると、図８のようなスターステッカーが出力される(Ｓ１８段階)。
【００８７】
一方、スター及びキャラクターだけを選択してステッカーを出力する場合、図７のようなスターステッカーが出力され、スター及びキャラクターと利用者自身の写真を合成させて出力する場合は図８のようなステッカーが出力される。
【００８８】
そして、無料で出力されるステッカーでは、図７および図８のようにステッカーの一端に企業や個人の広告が挿入されて出力され、そうでなく有料である場合は、図１０のように企業や個人の広告が挿入されなくなる。
【００８９】
スターステッカーを有料で出力する場合、スターステッカー自動販売機１０に設置されたコイン機構５２に所定金額のコインや紙幣を投入して支払ったり、または読出しと書込み可能で、電子決済ができるクレジットカード(または電子貨幣)端末機５４を利用したり、スターステッカーホームページの助力(サービス)で他のサイトに積み立てられている自分のサイバーマネーなどを利用して支払/決済できる。
【００９０】
また、図７および図８のようにスターステッカーの一端に企業や個人の広告が挿入される代価に与えられる会員別ステッカー無料出力回数は２回ないし５回に制限されるが、優秀会員なら無料出力回数を増やすことができ、 このような会員管理データはスターステッカーサイトの会員Ｄ／Ｂ１６に貯蔵/管理される。
【００９１】
一方、ステッカー出力が無料である場合、スターステッカー自動販売機１０のカラープリンタ４２からスターステッカーが出力される(Ｓ１８段階)。出力されたスターステッカーは、図９に例示したように、選択した用途、つまり、携帯電話、アクセサリ、人形、キーホルダ、愛蔵品、ステッカーブックなどに貼り付けて使用すればいい。
【００９２】
また、無料出力回数が残っているか、無料出力回数はないが新しいスター及びキャラクター写真や他のスター及びキャラクターの写真を出力したい場合、作業選択過程に戻り(Ｓ４段階)、上記の過程を繰り返しステッカーを出力するといい。
【００９３】
そして、ステッカー出力作業を終了したい場合、作業選択過程に戻り(Ｓ４段階)、ログオフ(LOG-OFF)の後(Ｓ７段階)、終了すればよく(Ｓ１９段階)、これらの利用内訳は会員Ｄ／Ｂ１６に貯蔵・管理される。
【００９４】
一方、非会員は、会員とは違い会員認証手順が省略され、作業選択段階に直接進行し(Ｓ２０段階)、有料で運営される。
【００９５】
前記作業選択段階(Ｓ２０段階)では、会員と同様にステッカー出力作業(２１段階)とその他作業(Ｓ２２段階)及びログオフ(Ｓ２３段階)を含む作業選択段階(Ｓ２０段階)が行える。
【００９６】
前記その他作業(Ｓ２２段階)は、上記のようにスターステッカーサイトのコンテンツＤ/Ｂ２２から提供される各種コンテンツ、例えば利用者の関心分野とスターの最新ニュースや動静、近況及び活動資料、常識資料、生活資料及び各種エンターテイメントを利用することができる。
【００９７】
また、前記コンテンツ及びエンターテイメント資料はインターネットを通じて利用者の多様な要求に応じて常に新しい資料に更新されるので、能動的なサービスができ、これも同様に、その他作業(Ｓ２２段階)状態からステッカー出力作業(Ｓ２１段階)状態に戻ることができる。
【００９８】
一方、ステッカー出力作業(Ｓ２１段階)は、会員とはやや異なってくる。
【００９９】
つまり、会員は、会員に割り当てられる貯蔵空間を利用して会員自分の写真を貯蔵することができるが、非会員は、割り当てられた貯蔵空間がないのでスターステッカー自動販売機１０に設置されたデジタルカメラ３８で自分の写真データを入力し合成してからステッカーとして出力する必要がある。
【０１００】
一方、ステッカー出力作業(Ｓ２１段階)は、スターの写真だけをステッカーとして出力する場合とスターと利用者自身の写真とを合成してステッカーとして出力する場合があり得る(Ｓ２４段階)。
【０１０１】
前記ステッカー合成選択段階(Ｓ２４段階)で、利用者自身の写真を合成せずスターの写真だけを出力したい場合、スター及びキャラクターを選択する段階に移動するＳ２６段階)。スターの写真と利用者自身の写真を合成する場合は、スターステッカー自動販売機１０に設置されたデジタルカメラ３８を利用した写真入力段階に移動する(Ｓ２５段階)。つまり、前記デジタルカメラ３８で自分の写真イメージを撮ると、それはグラフィック編集プログラムにより自動入力される(Ｓ２５段階)。
【０１０２】
一方、自分の写真が入力された状態で自分の好きな(または所望の)スター、キャラクターまたはスターのキャラクターを選択すると(Ｓ２６段階)、図６のように好きな(または所望の)スターまたはキャラクターの名前と共に複数枚の写真が配列・出力され、前記複数枚の写真が１画面を超過する場合、「次」と「前」のボタンを利用して１画面ずつ前・後に移動させる。
【０１０３】
画面を前・後移動させながらスターまたはキャラクターの写真を選択すると(Ｓ２７段階)、ステッカーの使用用途、例えば、携帯電話、アクセサリ、人形、キーホルダ、愛蔵品、ステッカーブックなどの用途に応じてステッカーの形態を選択する(Ｓ２８段階)。
【０１０４】
スターまたはキャラクターおよびステッカーの形態を選択した後、画面上の出力ボタンを押す(Ｓ２９段階)ことで、利用金額に対応する決済が完了する(Ｓ３０段階)と、図１０のようにスターステッカーがカラープリンタ４２からステッカー出力され(Ｓ３１段階)、出力されたスターステッカーは、図９に例示したように、選択した用途に応じて例えば、携帯電話、アクセサリ、人形、キーホルダ、愛蔵品、ステッカーブックなどに貼って使用すればいい。
【０１０５】
このとき、スターまたはキャラクターだけを選択してステッカー出力する場合には図１０の左写真のようにスターステッカーが出力され、スターと利用者自身の写真とを合成して出力する場合には図１０の右写真のようにスターと利用者の写真とが合成されたステッカーが出力される。
【０１０６】
このステッカーは有料のものであるので、図８におけるような企業や個人の広告は挿入されない。
【０１０７】
また、上記のように非会員がスターステッカーを有料で出力する場合、スターステッカー自動販売機１０に設置されたコイン機構５２、またはクレジットカードまたは電子貨幣用カード端末機５４を利用してもよく、スターステッカーホームページの助力(サービス)で他のサイトに積み立てられている自分のサイバーマネーなどで支払/決済してもいい。
【０１０８】
また、非会員が新しいスター写真や他のスターの写真を有料で出力したい場合、作業選択過程(Ｓ２０段階)に戻り、上記の過程を繰り返しステッカーを出力すればよい。
【０１０９】
そして、ステッカー出力作業を終了したい場合は、作業選択過程(Ｓ２０段階)に戻り、終了する(Ｓ２３段階)。
【０１１０】
図５は、スターステッカー自動販売機１０でなく、利用者が自分のクライアントシステムまたは他人のクライアントシステムまたは公衆のクライアントシステムを利用してスターステッカーを合成/編集してステッカー出力する過程を示す流れ図である。
【０１１１】
まず、非会員または一般の利用者がクライアントシステム１１とインターネット通信網１２を介して前記スターステッカーサイトに接続し約款を熟知した後、ＩＤと暗号(ＰＷ)を登録し、会員加入する必要がある。
【０１１２】
利用者がスターステッカーの会員に登録した後、スターステッカーサイトのホームページに接続し(Ｓ３２段階)、ＩＤと暗号(ＰＷ)を入力してログイン(LOG-IN)し(Ｓ３３段階)、会員認証過程により会員と認証されたら(Ｓ３４段階)、作業選択ができ(Ｓ３５段階)、会員認証に失敗したら(Ｓ３４段階)、ログインエラーメッセージが出力されながらＩＤと暗号(ＰＷ)入力モードに戻り、再度会員認証過程が行われる。
【０１１３】
一方、会員と認証されたら作業選択段階(Ｓ３５段階)で、写真出力(Ｓ３６段階)、ステッカー出力作業(Ｓ３７段階)、会員写真入力(up-load)(Ｓ３８段階)、その他作業(Ｓ３９段階)、そしてログオフ(Ｓ４０段階)し終了する段階(Ｓ４１段階)のうちいずれか一つを選択する。
【０１１４】
前記作業段階(Ｓ３５段階)のうち、会員写真入力(up-load)段階(Ｓ３８段階)で、スターステッカーサイトから各会員に割り当てるサイバー貯蔵空間にアップロードする写真を選択した後(Ｓ４２段階)、前記サイバー貯蔵空間に利用者の写真がアップロードされ(Ｓ４４段階)、後でスター写真と合成する際に使用することができる。
【０１１５】
その他作業段階(Ｓ３９段階)では、上述の通り、スターステッカーサイトのコンテンツＤ/Ｂ２２から提供される各種コンテンツ、例えば利用者の関心分野とスターの最新ニュースや動静、近況及び活動資料、常識資料、生活資料と各種エンターテイメントを利用でき、インターネットを通じて利用者の多様な要求に応えて常に新しい資料に更新されるので、能動的なサービスができる。
【０１１６】
もちろん、その他作業(Ｓ３９段階)を終えた後、ログオフ(Ｓ４０段階)し、この後、終了するか(Ｓ４１段階)、他の作業段階に移動することができる。
【０１１７】
スターの写真を出力する時(プリンタで一般用紙に出力するか、ステッカー出力用紙を使ってステッカーとして出力するか、或いは、モニターの背景画面用ファイルや電子アルバム用ファイルなどのファイルの形で利用者のハードディスクに貯蔵する)(Ｓ３６段階)、合成写真または非合成写真を選択する(Ｓ４５段階)が、非合成写真を選択すると、所望のスター選択段階(Ｓ４９段階)に直接移動する。
【０１１８】
一方、合成写真を出力する場合にはＰＣカメラまたはサーバーを選択することができ(Ｓ４６段階)、クライアントシステム１１に連結されたＰＣカメラを利用して利用者自身の写真を入力したり(Ｓ４７段階)、既にサーバーに貯蔵されている自分の写真を選択した後(Ｓ４８段階)、所望のスターを選択する(Ｓ４９段階)。
【０１１９】
選択されたスターの写真が画面に配列・出力されると、その中で自分の好きな一つを選択し(Ｓ５０段階)、出力したい写真形態、例えば、背景画面用、写真帳用、電子アルバム用などを選択した後(Ｓ５１段階)、出力ボタンを押すと(Ｓ５２段階)、写真の出力に先立って無料か有料かに対する判断が行われる(Ｓ５３段階)。会員であって無料となる場合、決済及び認証過程無しに、選択された写真の形態にプリンタ出力される(Ｓ５４段階)。
【０１２０】
そして、会員ではあるが、無料利用回数が尽き、ステッカー発行に必要な金額を支払うとの意思を明かした場合、会員口座から該当金額が引き出され決済されると(Ｓ５５段階)、選択された形態にプリンタ出力される(Ｓ５４段階)。
【０１２１】
前記出力に際し、プリンタから一般用紙に出力するか、ステッカー出力用紙を使ってステッカーとして出力するか、或いは、モニターの背景画面用ファイルや電子アルバム用ファイルなどのファイル形態に利用者クライアントシステムのハードディスクに貯蔵することができる。
【０１２２】
次いで、選択された形態にプリンタ出力またはファイル貯蔵が完了すると(Ｓ５４段階)、作業選択段階(Ｓ３５段階)に戻り他の作業を選択するか、ログオフ過程を経て(Ｓ４０段階)、終了する(Ｓ４１段階)。
【０１２３】
また、ステッカー出力作業(Ｓ３７段階)で、スターの写真と自分の写真とを合成または非合成した状態の写真を選択でき(Ｓ５６段階)、合成したくない場合は所望のスターを選択する段階に直接移動する(Ｓ６０段階)。
【０１２４】
そして、合成写真を出力する場合は、ＰＣカメラまたはサーバーを選択し(Ｓ５７段階)、クライアントシステム１１に連結されたＰＣカメラを利用して利用者自身の写真を入力するか(Ｓ５９段階)、既にサーバーに貯蔵されている自分の写真を選択した後(Ｓ５８段階)、画面表示された複数枚のスターの中で自分の好きなスターを選択すると(Ｓ６０段階)、選択されたスターの写真と自分の写真とが合成された写真が複数枚配列され、その中で気に入るスターとの合成写真を選択し(Ｓ６１段階)、ステッカーの使用用途、例えば、携帯電話、アクセサリ、人形、キーホルダ、愛蔵品、ステッカーブックなどの用途に合うステッカーの形態を選択する(Ｓ６２段階)。
【０１２５】
次いで、出力ボタンを押すと(Ｓ６３段階)、写真の出力に先立って無料か有料かに対する判断が行われ(Ｓ６４段階)、会員であって無料の場合は決済及び認証過程無しに選択された形態のスターと自分との合成写真ステッカーがプリンタから出力される(Ｓ６５段階)。
【０１２６】
そして無料利用回数が尽き、有料でステッカーまたはファイルの形態に出力するという費用支払意思を明かすと、会員口座から該当金額が引き出され決済され(Ｓ６６段階)、選択されたスターステッカーがプリンタから出力されるか、ファイルの形態に出力される(Ｓ６５段階)。
【０１２７】
そして、選択されたイメージを一般用紙にプリンタ出力するか、ステッカー出力用紙にステッカー出力するか、あるいはモニターの背景画面ファイルまたは電子アルバム用ファイルなどのファイル形態に利用者クライアントシステムのハードディスクに貯蔵する段階が完了すると(Ｓ６５段階)、作業選択段階(Ｓ３５段階)に戻り、他の作業を選択するか、ログオフ過程を経て(Ｓ４０段階)、終了する(Ｓ４１段階)。
【０１２８】
本発明においてスターステッカーホームページに載せられる企業/個人のバナー広告及びステッカーに印刷される企業/個人の広告は、収益モデルとして提供できる。
【０１２９】
本発明は、前述した実施例及び添付図面によって限定されるのではなく、本発明の技術的思想を外れない範囲内で様々な置換、変形及び変更が可能であり、これは、本発明の属する技術分野で通常の知識を持つ者にとって自明であろう。
【０１３０】
そして、本発明は、インターネットを利用したスターステッカー自動販売機にスターの最新イメージがリアルタイムアップデート(update)されるので、利用者は自分の好きなスターの最新イメージ及びそのスターに関する情報に接し、ステッカーとして出力するか、またはファイルとして貯蔵/保管できる。その結果、利用者の多様な欲求に応えられることはもとより、有名人と一般人とを、より親近感をもって結びつける効果がある。
【０１３１】
また、ステッカーの一端に広告を載せる代価を利用者に提供し、スターステッカー自動販売機の利用を活性化し、且つ、企業や個人のイメージを高め、広告効果を向上させるなどの効果がある。
【産業上の利用可能性】
【０１３２】
本発明は、利用者の好きなスター(アニメキャラクター、有名人、人気者、タレント、名士、偉人など)の最新イメージ及びその情報がインターネットを利用したステッカー自動販売機にリアルタイム・アップデート(update)されるので、利用者は自分の好きなスター(有名人、アニメキャラクターなど)のイメージ、またはそのスターのイメージ(写真ファイル)と自分のイメージ(写真)及び所望のイメージを合成した後、ステッカーとして出力するか、ファイルの形態で貯蔵媒体に格納(download)して保管できる。すなわち、利用者の多様な欲求に応えることができ、また、有名人と利用者(ファン)とを、より親近感を感じさせて結びつけるという効果がある。
【０１３３】
また、ステッカーの一端に広告を掲載する代価として利用者に無料ステッカー発行サービスを与え、スターステッカー自動販売機の利用を活性化することができ、広告する企業や個人にとってもイメージ向上と広告効果の向上などといった効果がある。
【図面の簡単な説明】
【０１３４】
【図１】本発明に係るスターステッカー自動販売システムの概略構成図。
【図２】本発明係るスターステッカーサイトのブロック構成図。
【図３】本発明に係るスターステッカー自動販売機のブロック構成図。
【図４】本発明によるスターステッカー自動販売システムにおける動作例を示すフロー図。
【図５】本発明によるスターステッカー自動販売システムにおける他の動作例を説明するフロー図。
【図６】本発明に係るスターイメージ写真の配列例を示す図。
【図７】本発明によってスターステッカーに広告が掲載された例を示す正面図。
【図８】本発明によってスターと利用者イメージが合成・出力されたステッカーに広告が掲載された例を示す正面図。
【図９】本発明によるスターステッカーの使用状態図。
【図１０】本発明によって広告抜きで提供されるスターステッカーの正面図。
【符号の説明】
【０１３５】
２：スターステッカーサーバー      ４：ファイアウォール
６：ウェブサーバー                ８：ホームページ
１０：ステッカー自動販売機        １１：利用者クライアントシステム
１２：インターネット              １４：データベース(Ｄ/Ｂ)サーバー
１６：会員Ｄ/Ｂ                   １８：イメージＤ/Ｂ
２０：コンテンツＤ/Ｂ             ２２：決済Ｄ/Ｂ
２４：メールＤ/Ｂ                 ２６：銀行/信用カ−ド会社
２８：決済サーバー
３０：ステッカー自動販売機管理サーバー
３２：負荷分散サーバー            ３４：バックアップサーバー
３６：メールサーバー              ３８：デジタルカメラ
４０：タッチスクリーン            ４２：ステッカー出力装置
４４：中央処理処置(ＣＰＵ)        ４６：メモリ
４８：通信装置                    ５０：入/出力装置
５２：コイン機構                  ５４：カード端末機
【図１】
2004537098.tif 000003
【図２】
2004537098.tif 000004
【図３】
2004537098.tif 000005
【図４】
2004537098.tif 000006
【図５】
2004537098.tif 000007
【図９】
2004537098.tif 000008
【図６】
2004537098.tif 000009
【図７】
2004537098.tif 000010
【図８】
2004537098.tif 000011
【図１０】
2004537098.tif 000012
【国際公開パンフレット】
2004537098.tif 000013
2004537098.tif 000014
2004537098.tif 000015
2004537098.tif 000016
2004537098.tif 000017
2004537098.tif 000018
2004537098.tif 000019
2004537098.tif 000020
2004537098.tif 000021
2004537098.tif 000022
2004537098.tif 000023
2004537098.tif 000024
2004537098.tif 000025
2004537098.tif 000026
2004537098.tif 000027
2004537098.tif 000028
2004537098.tif 000029
2004537098.tif 000030
2004537098.tif 000031
2004537098.tif 000032
2004537098.tif 000033
2004537098.tif 000034
2004537098.tif 000035
2004537098.tif 000036
2004537098.tif 000037
2004537098.tif 000038
2004537098.tif 000039
2004537098.tif 000040
2004537098.tif 000041
2004537098.tif 000042
2004537098.tif 000043
2004537098.tif 000044
2004537098.tif 000045
2004537098.tif 000046
2004537098.tif 000047
2004537098.tif 000048
2004537098.tif 000049
2004537098.tif 000050
2004537098.tif 000051
2004537098.tif 000052
2004537098.tif 000053
2004537098.tif 000054
2004537098.tif 000055
2004537098.tif 000056
2004537098.tif 000057
2004537098.tif 000058
2004537098.tif 000059
2004537098.tif 000060
2004537098.tif 000061
2004537098.tif 000062
2004537098.tif 000063
2004537098.tif 000064
【国際調査報告】
2004537098.tif 000065
2004537098.tif 000066